(57)【要約】【課題】  リュック本体部の大きさや重さなどに制限されることなく、背負ったまま物品の出し入れを可能にして汎用性及び発展性を高めるとともに、操作労力を軽減して使い勝手及び利便性を高める。【解決手段】  リュック本体部２の下部の左部位Ｙｄｐを、リュック支持部３における支持ベース部４の下部の左部位Ｘｄｐに設けた支点支持部７により回動可能に支持し、かつ第一操作ロープ８の一端部８ｒをリュック本体部２の下部の右部位Ｙｄｑの他方に結合し、第一操作ロープ８の他端部８ｆ側を支持ベース部４の下部の右部位Ｘｄｑの他方に設けた第一ガイド支持部９を通して引張操作可能に構成するとともに、第二操作ロープ１０の一端部１０ｒをリュック本体部２の上部の左右中央部位Ｙｍに結合し、第二操作ロープ１０の他端部１０ｆ側を支持ベース部４の上部の左右中央部位Ｘｍに設けた上ガイド支持部１１を通して引張操作可能に構成する。【選択図】  図１
2017192473.tif 000002
【特許請求の範囲】
【請求項１】
左右一対の肩掛ベルトにより背中に背負うことができる物品を収容可能なリュック本体部を備えるリュックサックにおいて、物品を収容可能なリュック本体部と、このリュック本体部に対して別体に構成したリュック支持部とを備え、このリュック支持部は、前記リュック本体部を支持する支持ベース部，この支持ベース部の上部の左右部位と当該支持ベース部の下部の左右部位間をそれぞれ連結可能な左右一対の肩掛ベルト部，及び当該支持ベース部の下部における左部位と右部位間を連結可能なヒップベルト部を備えて構成するとともに、前記リュック本体部の下部の左右部位の一方を、前記支持ベース部の下部の左右部位の一方に設けた支点支持部により回動可能に支持し、かつ第一操作ロープの一端部を前記リュック本体部の下部の左右部位の他方に結合し、第一操作ロープの他端部側を前記支持ベース部の下部の左右部位の他方に設けた第一ガイド支持部を通すことにより引張操作可能に構成するとともに、第二操作ロープの一端部を前記リュック本体部の上部の左右中央部位に結合し、第二操作ロープの他端部側を前記支持ベース部の上部の左右中央部位に設けた上ガイド支持部を通すことにより引張操作可能に構成してなることを特徴とするリュックサック。
【請求項２】
前記第一操作ロープと前記第二操作ロープは他端部を一体化するとともに、この一体化した他端部は、着脱部を介して前記肩掛ベルト部の一方に着脱方式により結合することを特徴とする請求項１記載のリュックサック。
【請求項３】
前記第二操作ロープは、一端部を前記リュック本体部の下部の左右部位の一方に結合し、他端部側を前記支持ベース部の下部の左右部位の一方に設けた第二ガイド支持部及び前記上ガイド支持部を通すことにより引張操作可能に構成するとともに、前記上ガイド支持部と前記第二操作ロープ間には、前記上ガイド支持部に対して前記第二操作ロープの所定位置を固定又は規制するストッパ機構部を備えることを特徴とする請求項１又は２記載のリュックサック。
【請求項４】
前記リュックサックとして、登山用のリュックザックに適用することを特徴とする請求項１，２又は３記載のリュックサック。
【発明の詳細な説明】
【技術分野】
【０００１】
本発明は、左右一対の肩掛ベルトにより背中に背負うことができるリュックサックに関する。
【背景技術】
【０００２】
一般に、物品を収容可能なリュック本体部を、左右一対の肩掛ベルトにより背中に背負うことができるリュックサックは広く知られている。ところで、この種のリュックサックは、背中に背負って使用するため、リュックサックに対して物品の出し入れを行う際には、一旦、背中から降ろす必要があり、リュックサックを背中（両肩）から降ろしたり、降ろしたリュックサックを再度背負い直すなどの煩わしい操作（労力）が必要になる。このため、リュックサックを降ろすことなく物品の出し入れを可能にするための改良されたリュックサックも提案されている。
【０００３】
従来、この種の改良されたリュックサックとしては、特許文献１で開示される取扱い自由なリュックサック及び特許文献２で開示されるリュックサックが知られている。特許文献１で開示されるリュックサックは、背に装着した状態で、リュックサックを身体の一方へ移動できるリュックサックの提供を目的としたものであり、具体的には、一方の背負紐が自由に伸縮できるように、背負紐の自由端に係止金具を設け、背負紐を眼環を介して折り返えすとともに、背負紐上に設けた被係止金具に係止し、リュックサックを移動する時には係止金具を解離することにより一方の側に楽に移動できるようにしたものである。
【０００４】
また、特許文献２で開示されるリュックサックは、リュックサックの背負い袋から収容物を取り出しやすくしたリュックサックの提供を目的としたものであり、具体的には、上面を開放自由にした背負い袋の背面に、背負い袋の上部から下部へ向けて身体の両肩に掛ける２本の背負い紐を設け、環状をなすベルト状の肩掛け紐の一部を、背負い袋の背面の上部中央に縫着または接着により固定してリュックサックを構成するとともに、背負い袋から中身を取り出すときは、背負い紐を両肩から外して背負い袋を身体の前のほうへ半回動させて、肩掛け紐で背負い袋を首で吊るし、これにより、背負い袋を、地面に下ろすことなく中身をとりだせるようにしたものである。
【先行技術文献】
【特許文献】
【０００５】
【特許文献１】特開２００１−１３７０４３号公報
【特許文献２】実用新案登録第３１６２５５９号公報
【発明の概要】
【発明が解決しようとする課題】
【０００６】
しかし、上述した従来のリュックサックは、次のような問題点があった。
【０００７】
第一に、いずれのリュックサックも、一対の背負ベルトを両肩に掛けることにより背中に背負う使用態様と、一つの肩掛ベルトを一方の肩に掛けることにより肩から吊り下げる使用態様のいずれかを選択できるように構成するとともに、物の出し入れを行う際には、肩から吊り下げる使用態様に変更することにより、使用者の横側又は前側に移動させるものである。したがって、比較的小さくて軽い一般的なリュックサックの場合には適用できるとしても、登山用リュックザックのように、比較的大きくて重いリュックサックの場合には適用が困難になる。結局、用途が限定的になるなど、汎用性及び発展性に欠ける。
【０００８】
第二に、構成上は、肩掛ベルトと背負ベルトの二種類の異なるベルトを備え、この二種類のベルトを選択して使用するため、肩からリュックサック本体を降ろさないとしても、ベルトを掛け換える操作が必要になるとともに、リュックサック本体を使用者の背中から横側又は前側に移動させる操作も必要になるなど、操作労力を軽減し、利便性を高める観点からも必ずしも十分とは言い難く、更なる改善の余地があった。
【０００９】
本発明は、このような背景技術に存在する課題を解決したリュックサックの提供を目的とするものである。
【課題を解決するための手段】
【００１０】
本発明は、上述した課題を解決するため、左右一対の肩掛ベルトにより背中に背負うことができる物品を収容可能なリュック本体部を備えるリュックサック１を構成するに際して、物品を収容可能なリュック本体部２と、このリュック本体部２に対して別体に構成したリュック支持部３とを備え、このリュック支持部３は、リュック本体部２を支持する支持ベース部４，この支持ベース部４の上部の左右部位Ｘｕｐ，Ｘｕｑと当該支持ベース部４の下部の左右部位Ｘｄｐ，Ｘｄｑ間をそれぞれ連結可能な左右一対の肩掛ベルト部５ｐ，５ｑ，及び当該支持ベース部４の下部における左部位Ｘｄｐと右部位Ｘｄｑ間を連結可能なヒップベルト部６を備えて構成するとともに、リュック本体部２の下部の左右部位Ｙｄｐ，Ｙｄｑの一方を、支持ベース部４の下部の左右部位Ｘｄｐ，Ｘｄｑの一方に設けた支点支持部７により回動可能に支持し、かつ第一操作ロープ８の一端部８ｒをリュック本体部２の下部の左右部位Ｙｄｐ，Ｙｄｑの他方に結合し、第一操作ロープ８の他端部８ｆ側を支持ベース部４の下部の左右部位Ｘｄｐ，Ｘｄｑの他方に設けた第一ガイド支持部９を通すことにより引張操作可能に構成するとともに、第二操作ロープ１０の一端部１０ｒをリュック本体部２の上部の左右中央部位Ｙｍに結合し、第二操作ロープ１０の他端部１０ｆ側を支持ベース部４の上部の左右中央部位Ｘｍに設けた上ガイド支持部１１を通すことにより引張操作可能に構成してなることを特徴とする。
【００１１】
この場合、発明の好適な態様により、第一操作ロープ８と第二操作ロープ１０は他端部８ｆ，１０ｆを一体化するとともに、この一体化した他端部８ｆ，１０ｆを、着脱部１５を介して肩掛ベルト部５ｐ，５ｑの一方に着脱方式により結合することができる。また、第二操作ロープ１０は、一端部１０ｒをリュック本体部２の下部の左右部位Ｙｄｐ，Ｙｄｑの一方に結合し、他端部１０ｆ側を支持ベース部４の下部の左右部位Ｘｄｐ，Ｘｄｑの一方に設けた第二ガイド支持部１６及び上ガイド支持部１１を通すことにより引張操作可能に構成するとともに、上ガイド支持部１１と第二操作ロープ１０間には、上ガイド支持部１１に対して第二操作ロープ１０の所定位置を固定又は規制するストッパ機構部１７を設けて構成することができる。なお、リュックサック１としては、登山用のリュックザックに適用することが望ましい。
【発明の効果】
【００１２】
このような構成を有する本発明に係るリュックサック１によれば、次のような顕著な効果を奏する。
【００１３】
（１）  リュック本体部２と、このリュック本体部２に対して別体に構成したリュック支持部３を備え、リュック本体部２を、リュック支持部３の支点支持部７を支点にして傾倒させることができるため、登山用リュックザックのように比較的大きくて重いリュックサック１の場合であっても、当該リュックサック１を背中に背負ったままリュック本体部２に対する物品の出し入れが可能なり、背中から降ろすことなく物品の出し入れを可能にするリュックサックの範囲を飛躍的に拡大できるなど、汎用性及び発展性を高めることができる。したがって、特に、登山用リュックザックに用いて最適となる。
【００１４】
（２）  背中に背負ったリュック本体部２を傾倒させるに際しては、第一操作ロープ８及び第二操作ロープ１０の操作、即ち、第一操作ロープ８及び第二操作ロープ１０の位置の固定を解除すれば、リュック本体部２の自重等により容易に傾倒させることができるとともに、他方、傾倒したリュック本体部２を元の背負い状態に戻す場合には、第一操作ロープ８及び第二操作ロープ１０を引張るのみでよく、リュック本体部２に対して物品の出し入れを行う際の操作はきわめて容易に行うことができるなど、操作のための労力を軽減できるとともに、使い勝手及び利便性を高めることができる。
【００１５】
（３）  好適な態様により、第一操作ロープ８と第二操作ロープ１０の他端部８ｆ，１０ｆを一体化するとともに、この一体化した他端部８ｆ，１０ｆを、着脱部１５を介して肩掛ベルト部５ｐ，５ｑの一方に着脱方式により結合すれば、第一操作ロープ８と第二操作ロープ１０を一緒に操作可能になるため、操作の容易化を図ることができるとともに、着脱部１５に対する着脱操作も一緒に、即ち、第一操作ロープ８と第二操作ロープ１０の位置も同時に固定又は固定解除することができる。
【００１６】
（４）  好適な態様により、第二操作ロープ１０を設けるに際し、一端部１０ｒをリュック本体部２の下部の左右部位Ｙｄｐ，Ｙｄｑの一方に結合し、他端部１０ｆ側を支持ベース部４の下部の左右部位Ｘｄｐ，Ｘｄｑの一方に設けた第二ガイド支持部１６及び上ガイド支持部１１を通すことにより引張操作可能に構成するとともに、上ガイド支持部１１と第二操作ロープ１０間に、上ガイド支持部１１に対して第二操作ロープ１０の所定位置を固定又は規制するストッパ機構部１７を設けて構成すれば、第二ガイド支持部１６と上ガイド支持部１１間に設けられる第二操作ロープ１０の部分は、使用者が手で持つことができる補助操作用に利用することができる。加えて、ストッパ機構部１７を設けたため、傾倒したリュック本体部２を元の背負い状態に戻す際には、背中の中央位置に対して容易に位置決めすることができる。
【図面の簡単な説明】
【００１７】
【図１】本発明の好適実施形態に係るリュックサックに備えるリュック本体部とリュック支持部の関係を示す要部の分離構成図、
【図２】同リュックサックの外観斜視図、
【図３】同リュックサックに備える第一操作ロープと第二操作ロープの経路を示す側面構成図、
【図４】同リュックサックに備える中間ガイド支持部の一例を示す構成図、
【図５】同リュックサックに備える上ガイド支持部の変更例を示す構成図、
【図６】同リュックサック（リュック本体部）を背負った使用態様の背面方向から見た模式的構成を含む使用方法説明図、
【図７】同リュックサック（リュック本体部）を傾倒させた使用態様の背面方向から見た模式的構成を含む他の使用方法説明図、
【発明を実施するための形態】
【００１８】
次に、本発明に係る好適実施形態を挙げ、図面に基づき詳細に説明する。
【００１９】
まず、本実施形態に係るリュックサック１の構成について、図１〜図５を参照して説明する。
【００２０】
図１に示すように、本実施形態に係るリュックサック１は、大別して、物品を収容可能なリュック本体部２と、このリュック本体部２に対して別体に構成したリュック支持部３とを備える。
【００２１】
リュック本体部２は、広く知られている一般的なリュックサックからベルト類（左右一対の肩掛ベルトやヒップベルト等）を除いた部分、即ち、物品を収容する収容部分のみとなる。したがって、例示のリュック本体部２は、図２に示すように、上下に長い直方体状をなす本体主部２１を備え、この本体主部２１の上半部には、一方の側面２１ｐから上面２１ｕを経て他方の側面２１ｑに至るファスナー２２により開閉する出し入れ口を備えており、この出し入れ口を通して本体主部２１に対する物品の出し入れを行うことができる。また、本体主部２１の背面２１ｒには、下半部に付設した下ポケット部２３及び上部に付設した上ポケット部２４を備えている。
【００２２】
一方、リュック支持部３は、図１に示すように、リュック本体部２を支持する支持ベース部４と、この支持ベース部４の上部の左右部位Ｘｕｐ，Ｘｕｑと当該支持ベース部４の下部の左右部位Ｘｄｐ，Ｘｄｑ間をそれぞれ連結する左右一対の肩掛ベルト部５ｐ，５ｑ，と、支持ベース部４の下部における左部位Ｘｄｐと右部位Ｘｄｑ間を連結するヒップベルト部６を備え、これら支持ベース部４，肩掛ベルト部５ｐ，５ｑ及びヒップベルト部６は一体に構成する。この場合、支持ベース部４は、本体主部２１の前面２１ｆに重なることにより、リュック本体部２を支持する一枚のシート状に形成したものであり、例示の支持ベース部４は、上下に長い台形フレーム形である。
【００２３】
また、支持ベース部４の上部（上端部）における左部位Ｘｕｐ及び右部位Ｘｕｑから、それぞれ縦方向となる左側の肩掛主部５ｐｍ及び右側の肩掛主部５ｑｍを延出させるとともに、支持ベース部４の下部（下端部）における左部位Ｘｄｐ及び右部位Ｘｄｑから、それぞれ縦方向となる左側の肩掛補助部５ｐｓ及び右側の肩掛補助部５ｑｓを延出させる。そして、肩掛主部５ｐｍの先端と肩掛補助部５ｐｓの先端を、接続位置を調整可能な長さ調整バックル２６ｐを介して接続するとともに、肩掛主部５ｑｍの先端と肩掛補助部５ｑｓの先端を、接続位置を調整可能な長さ調整バックル２６ｑを介して接続する。これにより、支持ベース部４の上部の左右部位Ｘｕｐ，Ｘｕｑと当該支持ベース部４の下部の左右部位Ｘｄｐ，Ｘｄｑ間がそれぞれ連結（接続）される左右一対のループ状の肩掛ベルト部５ｐ，５ｑが構成される。
【００２４】
さらに、支持ベース部４の下部（下端部）における左部位Ｘｄｐから、横方向となる左ベルト部６ｐを延出させるとともに、支持ベース部４の下部（下端部）における右部位Ｘｄｑから、横方向となる右ベルト部６ｑを延出させる。そして、左ベルト部６ｐの先端と右ベルト部６ｑの先端をバックル（例えば、ワンタッチ式バックル）２７を介して着脱可能に接続する。これにより、支持ベース部４の下部における左部位Ｘｄｐと右部位Ｘｄｑ間が連結されるヒップベルト部６が構成される。なお、２８はヒップベルト部６の接続位置を調整可能な長さ調整バックルを示す。
【００２５】
他方、第一操作ロープ８と第二操作ロープ１０の二本のロープ部材を用意するとともに、第一操作ロープ８及び／又は第二操作ロープ１０の各経路をガイドするための四つのガイド支持部９，１１，１６，３１を用意する。
【００２６】
この場合、第一操作ロープ８の一端部８ｒと第二操作ロープ１０の一端部１０ｒは、後述するように、リュック本体部２の所定位置に結合するとともに、第一操作ロープ８の他端部８ｆと第二操作ロープ１０の他端部１０ｆは手で持つことができる操作部として用いる。この際、第一操作ロープ８の他端部８ｆと第二操作ロープ１０の他端部１０ｆは、共に、バックル５１の雄側５１ｓに結合する。この結果、第一操作ロープ８及び第二操作ロープ１０の他端部８ｆ，１０ｆは一体化される。他方、バックル５１の雌側５１ｒは、肩掛ベルト部５ｑの所定位置に取付ける。例示の場合、連結ベルト５２を用意し、この連結ベルト５２の一端に雌側５１ｒを取付けるとともに、連結ベルト５２の他端を肩掛ベルト部５ｑの中間位置付近に取付けている。この雄側５１ｓと雌側５１ｒを含むバックル５１は、例えば、ワンタッチバックルを用いることができる。これにより、着脱部１５が構成され、一体化した他端部８ｆ，１０ｆは、肩掛ベルト部５ｑに対して着脱方式により結合される。このように構成すれば、第一操作ロープ８と第二操作ロープ１０を一緒に操作可能になるため、操作の容易化を図ることができるとともに、着脱部１５に対する着脱操作も一緒に、即ち、第一操作ロープ８と第二操作ロープ１０の位置も同時に固定又は固定解除することができる利点がある。
【００２７】
また、各ガイド支持部９，１１，１６，３１は、図１に示すように、リュック支持部３における背面の所定位置に取付ける。この場合、一つのガイド支持部は、図４に示すように、リュック支持部３の表面に縫付けるなどにより固定する取付プレート部４１と、この取付プレート部４１の表面に取付けたリング部４２とを備える基本的形態を有し、このリング部４２は、硬質プラスチック素材又は金属素材等により構成する。このリング部４２には、第一操作ロープ８及び／又は第二操作ロープ１０を通すことができる。
【００２８】
したがって、各ガイド支持部９，１１，１６，３１は、リング部４２の向き及び大きさ等の具体的形態がそれぞれ異なるとしても基本的形態は同じとなる。本実施形態で使用する四つのガイド支持部は、第一ガイド支持部９，上ガイド支持部１１，第二ガイド支持部１６及び中間ガイド支持部３１となる。
【００２９】
この場合、第一ガイド支持部９は、支持ベース部４の下部（下端部）の右部位Ｘｄｑに取付けるものであり、第一操作ロープ８が挿通し、かつ軸心が横方向に向いたリング部４２を備える。上ガイド支持部１１は、支持ベース部４の上部の左右中央部位Ｘｍに取付けるものであり、第二操作ロープ１０が挿通し、かつ軸心が斜めに傾斜すことにより後述する中間ガイド支持部３１に向いたリング部４２を備える。第二ガイド支持部１６は、支持ベース部４の下部（下端部）の左部位Ｘｄｐに取付けるものであり、第二操作ロープ１０（１０ｓ）が挿通し、かつ軸心が縦方向に向いたリング部４２を備える。中間ガイド支持部３１は、肩掛主部５ｑｍにおける支持ベース部４の近傍に取付けるものであり、第一操作ロープ８及び第二操作ロープ１０の双方が挿通し、かつ軸心が取付ける肩掛主部５ｑｍの長手方向に沿うリング部４２を有する。
【００３０】
そして、図１に示すように、第一操作ロープ８及び第二操作ロープ１０の他端部８ｆ，１０ｆに結合したバックル５１の雄側５１ｓを肩掛主部５ｑｍの前側に位置させるとともに、第一操作ロープ８と第二操作ロープ１０の一端部８ｒ，１０ｒ側は、中間ガイド支持部３１を挿通させて後側に至らせる。中間ガイド支持部３１を挿通させた第一操作ロープ８は、ストッパ部３３を装着するとともに、さらに、第一ガイド支持部９に対して外側から挿通させた後、第一操作ロープ８の一端部８ｒは、リュック本体部２の下部の右部位Ｙｄｑに結合する。この場合、ストッパ部３３は、筒状の本体を有するため、内部に第一操作ロープ８を通すとともに、この本体に設けた固定ネジ３３ｓを締め付けることにより、第一操作ロープ８上の中途位置に固定することができる。このストッパ部３３は、第一操作ロープ８を後側へ送った際に第一ガイド支持部９に係止し、リュック本体部２の傾倒角度を規制する機能を有する。
【００３１】
この第一操作ロープ８は、一端部８ｒをリュック本体部２の下部の左右部位Ｙｄｐ，Ｙｄｑの他方に結合し、第一操作ロープ８の他端部８ｆ側を支持ベース部４の下部の左右部位Ｘｄｐ，Ｘｄｑの他方に設けた第一ガイド支持部９を通すことにより引張操作可能となる第一の操作系を構成する。
【００３２】
一方、中間ガイド支持部３１を挿通させた第二操作ロープ１０は、上ガイド支持部１１に対して上側から挿通させた後、リュック本体部２に取付けたストッパ部３４を通し、さらに、ストッパ部３５を装着する。この後、第二操作ロープ１０は、第二ガイド支持部１６に対して上側から挿通させた後、第二操作ロープ１０の一端部１０ｓｒはリュック本体部２の下部の左部位Ｙｄｐに結合する。
【００３３】
この場合、ストッパ部３４は、リング状の本体を有するため、内部に第二操作ロープ１０を通すことができるとともに、この本体に設けた固定ネジ３４ｓを締め付けることにより、第二操作ロープ１０上の中途位置に固定することができる。また、装着部３４ｐに一体に設けた取付プレート部３４ｃを、リュック本体部２の表面に縫付けるなどにより固定する。例示の場合、ストッパ部３４は、リュック本体部２の前面２ｆにおける上部の左右中央部位Ｙｍに取付けている。この左右中央部位Ｙｍは、リュック支持部３における上部の左右中央部位Ｘｍに対応する部位となる。したがって、ストッパ部３４は、第二操作ロープ１０を前側に引張った際に、上ガイド支持部１１に係止し、リュック本体部２を背負い位置、即ち、リュック本体部２の上部における左右中央を、使用者の背中の左右中央位置に規制するストッパ機構部１７が構成される。
【００３４】
また、ストッパ部３５は、筒状の本体を有するため、内部に第二操作ロープ１０を通すとともに、この本体に設けた固定ネジ３５ｓを締め付けることにより、第二操作ロープ１０上の中途位置、特に、リュック本体部２における下部の左部位Ｙｄｐの近傍に固定する。このストッパ部３５は、第二操作ロープ１０を後側へ送った際に第二ガイド支持部１６に係止し、リュック本体部２を傾倒させる際の支点支持部７として機能する。
【００３５】
したがって、第二操作ロープ１０は、一端部１０ｒをリュック本体部２の上部の左右中央部位Ｙｍに結合し、第二操作ロープ１０の他端部１０ｆ側を支持ベース部４の上部の左右中央部位Ｘｍに設けた上ガイド支持部１１を通すことにより引張操作可能となる第二の操作系を構成する。なお、例示の場合、ストッパ部３４とリュック本体部２の下部の左部位Ｙｄｐに結合した一端部１０ｓｒ間には、第二操作ロープ１０の一部が設けられるため、この部分は、ハンドル部１０ｓとして機能させることができる。したがって、第二操作ロープ１０におけるストッパ部３４の位置は、第二操作ロープ１０の実質的な一端部１０ｒとなると同時にハンドル部１０ｓの他端部１０ｓｆとなる。このため、ハンドル部１０ｓを設けることなく、第二操作ロープ１０の一端部をストッパ部３４の位置に直接固定することによりストッパ機構部１７を構成する場合を排除するものではなく、この場合には、支点支持部７を単純な回動部として構成できる。
【００３６】
このように、第二操作ロープ１０を設けるに際し、一端部１０ｒをリュック本体部２の下部の左右部位Ｙｄｐ，Ｙｄｑの一方に結合し、他端部１０ｆ側を支持ベース部４の下部の左右部位Ｘｄｐ，Ｘｄｑの一方に設けた第二ガイド支持部１６及び上ガイド支持部１１を通すことにより引張操作可能に構成するとともに、上ガイド支持部１１と第二操作ロープ１０間には、上ガイド支持部１１に対して第二操作ロープ１０の所定位置を固定又は規制するストッパ機構部１７を設けて構成すれば、第二ガイド支持部１６と上ガイド支持部１１間に設けられる第二操作ロープ１０の部分は、使用者が手で持つことができるハンドル部１０ｓとして機能させることができるため、補助操作用に利用できる利点がある。加えて、ストッパ機構部１７を設けたため、傾倒したリュック本体部２を元の背負い状態に戻す際には、背中の中央位置に対して容易に位置決めすることができる。
【００３７】
なお、例示した各ガイド支持部９，１１，１６，３１の形態（形状及び構成）は一例であり、例示の形態に限定されるものではない。即ち、第一操作ロープ８と第二操作ロープ１０を円滑にガイドする機能を有すれば足り、配置する部位（位置）や数量は任意に選定できる。
【００３８】
例えば、必要により、更なる追加の中間ガイド支持部を設けてもよい。図４には、中間ガイド支持部３１と第二ガイド支持部９（図１）間に、追加の中間ガイド支持部６１を設けた例を示す。この中間ガイド支持部６１の形態は、第一操作ロープ８を通すことができるトンネル状に形成したものであり、適度に湾曲するプラスチック素材等で形成することができる。
【００３９】
一方、図５は、上ガイド支持部１１の形態を変更した例を示す。図５に示す上ガイド支持部１１ｅは、剛性を有する硬質プラスチック素材等で形成し、左右方向に長いトンネル状に形成したものである。この際、上ガイド支持部１１ｅにおける肩掛ベルト部５ｑ側の開口部６１ｕは、中間ガイド支持部３１側を向くように斜め上方へ湾曲させるとともに、上ガイド支持部１１ｅにおける第一ガイド支持部１６（図１参照）側の開口部６１ｄは、当該第一ガイド支持部９側を向くように斜め下方へ湾曲させる。さらに、上ガイド支持部６２の上下方向中央位置には、第一ガイド支持部９側の開口から長手方向の中央位置まで、ガイドスリット部６２ｓを形成するとともに、他方、リュック本体部２の前面２ｆにおける上部左右中央部位Ｙｍに取付けたストッパ部３４は、図５に示すように、装着部３４ｐと取付プレート部３４ｃ間を係合ピン３４ｇを介して連結し、この係合ピン３４ｇがガイドスリット部６２ｓに係合してガイドされるように構成する。このため、ガイドスリット部６２ｓの開口側は、係合ピン３４ｇを円滑に受け入れることができるように外側広がり形状に形成することが望ましい。図５に示す変更例では、背負い位置のリュック本体部２が傾倒する際に、所定の角度まで背中に沿って変位させることができる利点がある。
【００４０】
次に、本実施形態に係るリュックサック１の使用方法について、図６及び図７を参照して説明する。
【００４１】
まず、通常の使用時となる背負モードについて説明する。図６は背負モードの状態を示す。背負モードでは、第一操作ロープ８及び第二操作ロープ１０の先端に設けたバックル５１の雄側５１ｓを白抜矢印Ｆｄ方向に引くことにより雌側５１ｒに装着すればよい。この際、リュック本体部２は、どのような位置（角度）にあっても、第一操作ロープ８と第二操作ロープ１０により引張られるため、白抜矢印Ｆｒ方向に変位し、ストッパ部３４が上ガイド支持部１１ｅに係止した位置で変位が規制されて停止する。また、バックル２７における左ベルト部６ｐの先端と右ベルト部６ｑの先端を装着して使用者の腰にヒップベルト部６を装着する。
【００４２】
これにより、リュック本体部２は背負い位置、即ち、リュック本体部２の左右中央位置が使用者の背中の左右中央位置に一致する背負モードとなる。したがって、背負モードでのリュックサック１は、一般的なリュックサックと同様に、使用者は、リュック支持部３における一方の肩掛ベルト部５ｐを自身の左肩に掛け、他方の肩掛ベルト部５ｑを自身の右肩に掛けることにより背中に背負うことができる。
【００４３】
次に、背負ったまま物品の出し入れを行うことができる傾倒モードについて説明する。図７は傾倒モードの状態を示す。傾倒モードでは、図７に示すように、バックル５１の雄側５１ｓを雌側５１ｒから離脱させればよい。これにより、リュック本体部２の傾倒が許容されることになる。
【００４４】
したがって、使用者は、バックル５１の雄側５１ｓを手で持ちながら、例えば、身体を稍傾倒させたり、或いは身体を振るなどにより、リュック本体部２を、図７に示す白抜矢印Ｆｓ方向に変位するように誘導すればよい。これにより、リュック本体部２は、支点支持部７を回動支点として白抜矢印Ｆｓ方向に回動変位する。この場合、リュック本体部２の自重等により傾倒するため、第一操作ロープ８と第二操作ロープ１０、更にはハンドル部１０ｓを操作することにより、安定した状態で傾倒させることができる。特に、ハンドル部１０ｓは、使用者が手で持つことによりリュック本体部２を背中から離れないように引き寄せるなどの補助操作に利用できる。
【００４５】
また、第一操作ロープ８と第二操作ロープ１０は、リュック本体部２の変位に追従して後方へ引張られるため、バックル５１の雄側５１ｓも、図７に示すように、白抜矢印Ｆｕ方向に変位する。そして、第一操作ロープ８に設けたストッパ部３３が第二ガイド支持部９に係止した位置で変位が規制されて停止する。この停止した位置におけるリュック本体部２は、図７に示すように傾倒するため、使用者は、リュックサック１を背負ったまま物品の出し入れを行うことが可能となる。他方、物品の出し入れが終了したなら、上述した図６に示す操作に従って背負モードに戻せばよい。
【００４６】
よって、このような本実施形態に係るリュックサック１によれば、基本形態として、物品を収容可能なリュック本体部２と、このリュック本体部２に対して別体に構成したリュック支持部３とを備え、このリュック支持部３は、リュック本体部２を支持する支持ベース部４，この支持ベース部４の上部の左右部位Ｘｕｐ，Ｘｕｑと当該支持ベース部４の下部の左右部位Ｘｄｐ，Ｘｄｑ間をそれぞれ連結可能な左右一対の肩掛ベルト部５ｐ，５ｑ，及び当該支持ベース部４の下部における左部位Ｘｄｐと右部位Ｘｄｑ間を連結可能なヒップベルト部６を備えて構成するとともに、リュック本体部２の下部の左部位Ｙｄｐを、支持ベース部４の下部の左部位Ｘｄｐに設けた支点支持部７により回動可能に支持し、かつ第一操作ロープ８の一端部８ｒをリュック本体部２の下部の右部位Ｙｄｑに結合し、第一操作ロープ８の他端部８ｆ側を支持ベース部４の下部の右部位Ｘｄｑに設けた第一ガイド支持部９を通すことにより引張操作可能に構成するとともに、第二操作ロープ１０の一端部１０ｒをリュック本体部２の上部の左右中央部位Ｙｍに結合し、第二操作ロープ１０の他端部１０ｆ側を支持ベース部４の上部の左右中央部位Ｘｍに設けた上ガイド支持部１１を通すことにより引張操作可能に構成してなるため、リュック支持部３に設けた支点支持部７を支点にして、リュック本体部２を背中に背負った状態で傾倒させることができる。したがって、登山用リュックザックのように比較的大きくて重いリュックサック１の場合であっても、リュックサック１を背中に背負ったままリュック本体部２に対する物品の出し入れが可能なり、背中から降ろすことなく物品の出し入れを可能にするリュックサックの範囲を飛躍的に拡大できるなど、汎用性及び発展性を高めることができる。したがって、特に、登山用リュックザックに用いて最適となる。
【００４７】
また、背中に背負ったリュック本体部２を傾倒させるに際しては、第一操作ロープ８及び第二操作ロープ１０の操作、即ち、第一操作ロープ８及び第二操作ロープ１０の位置の固定を解除すれば、リュック本体部２の自重等により容易に傾倒させることができるとともに、他方、傾倒したリュック本体部２を元の背負い状態に戻す場合には、第一操作ロープ８及び第二操作ロープ１０を引張るのみでよく、リュック本体部２に対して物品の出し入れを行う際の操作はきわめて容易に行うことができるなど、操作のための労力を軽減し、使い勝手及び利便性を高めることができる。
【００４８】
以上、変更例を含む好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４９】
例えば、実施形態では、右効き用として構成した例を示したが、この右効き用に対して左右対称となる左効き用に構成してもよいし、必要により、どちらかを選択できる切換方式に構成することも可能である。また、リュック本体部２及びリュック支持部３の具体的な形状や構成は一例として挙げたものであり、同様の機能を有するものであれば、各種形状や構成により実施できる。さらに、第一操作ロープ８と第二操作ロープ１０は、他端部８ｆ，１０ｆを一体化した例を挙げたが、それぞれ別々の着脱部１５…により着脱できるようにしてもよい。なお、着脱部１５は、第一操作ロープ８及び第二操作ロープ１０を任意の位置に固定し又は固定解除できる機能を有すれば足り、その構成は問わない。一方、各ストッパ部３３…は固定ネジ３３ｓ…を緩めたり締付けることにより、各操作ロープ８…上における固定位置を調整（変更）することができる。
【産業上の利用可能性】
【００５０】
本発明に係るリュックサックは、登山用リュックザックをはじめ、物品を収容するリュック本体を左右の肩掛ベルトにより背中に背負う各種のリュックサックに利用できる。
【符号の説明】
【００５１】
１：リュックサック，２：リュック本体部，３：リュック支持部，４：支持ベース部，５ｐ：肩掛ベルト部，５ｑ：肩掛ベルト部，６：ヒップベルト部，７：支点支持部，８：第一操作ロープ，８ｒ：第一操作ロープの一端部，８ｆ：第一操作ロープの他端部，９：第二ガイド支持部，１０：第二操作ロープ，１０ｒ：第二操作ロープの一端部，１０ｆ：第二操作ロープの他端部，１１：上ガイド支持部，１５：着脱部，１６：第一ガイド支持部，１７：ストッパ機構部，Ｘｕｐ：支持ベース部の上部の左部位，Ｘｕｑ：支持ベース部の上部の右部位，Ｘｄｐ：支持ベース部の下部の左部位，Ｘｄｑ：支持ベース部の下部の右部位，Ｘｍ：支持ベース部の上部の左右中央部位，Ｙｄｐ：リュック本体部の下部の左部位，Ｙｄｑ：リュック本体部の下部の右部位，Ｙｍ：リュック本体部の上部の左右中央部位
【図１】
2017192473.tif 000003
【図２】
2017192473.tif 000004
【図３】
2017192473.tif 000005
【図４】
2017192473.tif 000006
【図５】
2017192473.tif 000007
【図６】
2017192473.tif 000008
【図７】
2017192473.tif 000009